(57)【要約】【課題】複数本の缶、ボトル、または容器を収納することができ、しかも試供品等の別の商品を一緒に収納展示することができる集積包装体を提供すること。【解決手段】罫線を介して側面板（２ａ）、前面板（３）、後面板（４）、および固着片（１）を連設した容器本体（Ａ）の、上部に蓋部（Ｂ）、下部に底部（Ｃ）を設けた集積包装体であって、前記前面板（３）は、中央部に、切込みと折り曲げ罫線を組み合わせ、上部に折込部（１１）を有し、前方へ突き出る構成の収納部（３０）を形成することにより解決した。【選択図】図３
2011006076.tif 000002
【特許請求の範囲】
【請求項１】
罫線を介して側面板（２ａ）、前面板（３）、後面板（４）、側面板（２ｂ）および固着片（１）を連設した容器本体（Ａ）の、上部に蓋部（Ｂ）、下部に底部（Ｃ）を設けた集積包装体であって、前記前面板（３）は、中央上部に、上方に突出する形状の切込み（１０）により形成された折込部（１１）、前記切込み（１０）の終端（１０ａ）（１０ａ）を結ぶ罫線（２０）と、前記終端（１０ａ）（１０ａ）から左右外側下方に終端（１３ａ）（１３ａ）を有する切込み（１３）（１３）を設けられ、一方、下端から上方の終端（１５ａ）（１５ａ）まで延びる切込み（１５）（１５）が設けられ、前記切込み（１３）（１３）の終端（１３ａ）（１３ａ）は、前記切込み（１５）（１５）の終端（１５ａ）（１５ａ）より外側下方に位置し、かつ、前記切込み（１３）（１３）の終端（１３ａ）（１３ａ）間の罫線（２１）及び前記切込み（１５）（１５）の終端（１５ａ）（１５ａ）間、および該終端（１５ａ）（１５ａ）から前記切込み（１３）（１３）まで延びる罫線（２２）を設けたブランク板を、前記折込部（１１）を罫線（２０）から内側に折り曲げ、かつ、前記罫線（２１）を山折り、及び前記罫線（２２）を谷折りすることにより、収納部（３０）を形成したことを特徴とする集積包装体。 
【請求項２】
さらに、前記前面板（２）の罫線（１５）（１５）の下端を結ぶ位置に罫線（２３）及び該罫線（２３）の上方に、前記罫線（１５）（１５）間を結ぶ罫線（２４）を設け、前記罫線（２３）を谷折り、前記罫線（２４）を山折りしたことを特徴とする請求項１に記載の集積包装体。
【請求項３】
さらに、前記切込み（１０）の両外側に、前記切込み（１０）を１辺とし、下方に突出する切込み（１９）（１９）を設け、押さえ片（３１）（３１）を形成したことを特徴とする請求項１または２に記載の集積包装体。
【請求項４】
前記切込み（１９）（１９）は、終端（１９ａ）（１９ａ）が蓋部に位置するように設けたことを特徴とする請求項３に記載の集積包装体。
【請求項５】
前記前面板は、窓部を有することを特徴とする請求項１乃至４のいずれかに記載の集積包装体。
【請求項６】
前記収納部は、窓部を有することを特徴とする請求項１乃至５のいずれかに記載の集積包装体。
【発明の詳細な説明】
【技術分野】
【０００１】
本発明は、複数本の缶、ボトル、または容器を収納すると共に、別の商品を同時に収納可能とした集積包装体に関する。
【背景技術】
【０００２】
複数本の缶、ボトル、または容器を収納する収納容器は、中央に取手を有する仕切板と、この仕切板の両側に収納部を有する持ち運び可能な容器が一般的であった（特許文献１参照）。
【先行技術文献】
【特許文献】
【０００３】
【特許文献１】特開２００８−２８１１２６号公報
【発明の概要】
【発明が解決しようとする課題】
【０００４】
しかしながら、前記収納容器は、持ち運びには便利であるが、収納した状態で展示するのには不向きであった。
また、前記収納容器は、複数本の缶、ボトル、または容器を収納することができるが、試供品等の別の商品を一緒に収納展示することはできなかった。
【０００５】
本発明の課題は、複数本の缶、ボトル、または容器を収納することができ、しかも試供品等の別の商品を一緒に収納展示することができる集積包装体を提供することである。
【課題を解決するための手段】
【０００６】
請求項１に係る発明は、罫線を介して側面板（２ａ）、前面板（３）、後面板（４）、側面板（２ｂ）および固着片（１）を連設した容器本体（Ａ）の、上部に蓋部（Ｂ）、下部に底部（Ｃ）を設けた集積包装体であって、前記前面板（３）は、中央上部に、上方に突出する形状の切込み（１０）により形成された折込部（１１）、前記切込み（１０）の終端（１０ａ）（１０ａ）を結ぶ罫線（２０）と、前記終端（１０ａ）（１０ａ）から左右外側下方に終端（１３ａ）（１３ａ）を有する切込み（１３）（１３）を設けられ、一方、下端から上方の終端（１５ａ）（１５ａ）へ延びる切込み（１５）（１５）が設けられ、前記切込み（１３）（１３）の終端（１３ａ）（１３ａ）は、前記切込み（１５）（１５）の終端（１５ａ）（１５ａ）より外側下方に位置し、かつ、前記切込み（１３）（１３）の終端（１３ａ）（１３ａ）間の罫線（２１）及び前記切込み（１５）（１５）の終端（１５ａ）（１５ａ）間、および該終端（１５ａ）（１５ａ）から前記切込み（１３）（１３）まで延びる罫線（２２）を設けたブランク板を、前記折込部（１１）を罫線（２０）から内側に折り曲げ、かつ、前記罫線（２１）を谷折り、及び前記罫線（２２）を山折りすることにより、収納部（３０）を形成したことを特徴とする集積包装体である。
【０００７】
請求項２に係る発明は、さらに、前記前面板（２）の罫線（１５）（１５）の下端を結ぶ位置に罫線（２３）及び該罫線（２３）の上方に、前記罫線（１５）（１５）間を結ぶ罫線（２４）を設け、前記罫線（２３）を谷折り、前記罫線（２４）を山折りしたことを特徴とする集積包装体である。
【０００８】
請求項３に係る発明は、さらに、前記切込み（１０）の両外側に、前記切込み（１０）を１辺とする下方に突出する切込み（１９）（１９）を設け、押さえ片（３１）（３１）を形成したことを特徴とする集積包装体である。
【０００９】
請求項４に係る発明は、前記切込み（１９）（１９）を、終端（１９ａ）（１９ａ）が蓋部に位置するように設けたことを特徴とする集積包装体である。
【００１０】
請求項５に係る発明は、前記前面板が、窓部を有することを特徴とする集積包装体である。
【００１１】
請求項６に係る発明は、前記収納部が、窓部を有することを特徴とする集積包装体である。
【発明の効果】
【００１２】
請求項１の発明によれば、前記折込部（１１）を罫線（２０）から内側に折り曲げ、かつ、前記罫線（２１）を谷折り、及び前記罫線（２２）を山折りすることにより、上部が前方に突き出る状態の収納部（３０）が形成され、試供品等の上部を固定することができ、容器と同時に試供品等の商品を収納、および展示することが可能となる。
【００１３】
請求項２の発明によれば、前記前面板（２）の罫線（１５）（１５）の下端を結ぶ位置に罫線（２３）及び該罫線（２３）の上方に、前記罫線（１５）（１５）間を結ぶ罫線（２４）を設け、前記罫線（２３）を谷折り、前記罫線（２４）を山折りすることにより、収納部（３０）全体が前方に突き出る状態に形成することができ、容器と同時に嵩張る試供品等の商品を、収納、および展示することが可能となる。
【００１４】
請求項３の発明によれば、前記折込部（１１）の両側に押さえ片（３１）（３１）が形成され、収納する容器の頂部を押さえることができ、安定した状態で収納、および展示をすることが可能となる。
【００１５】
請求項４の発明によれば、前記折込部（１１）の両側に形成される押さえ片（３１）（３１）を大きくすることができ、収納する容器の頂部を確実に押さえることができ、より安定した状態で収納、および展示をすることが可能となる。
【００１６】
請求項５、６の発明によれば、収納した容器、試供品等の商品が見えるようになり、優れた展示が可能となる。
【図面の簡単な説明】
【００１７】
【図１】本発明の集積包装体を形成するブランク板の、一実施例を示す説明図である。
【図２】図１のブランク板を組み立てた状態を示す説明図である。
【図３】本発明の集積包装体を形成するブランク板の、他の実施例を示す説明図である。
【図４】本発明の集積包装体を形成するブランク板の、他の実施例を示す説明図である。
【発明を実施するための形態】
【００１８】
本発明の集積包装体を、実施の形態に沿って以下に詳細に説明する。
【００１９】
図１は、本発明の集積包装体を形成するブランク板の一実施例を示すものである。
前記ブランク板は、紙シート、プラスチックシート、または紙とプラスチックの積層シートを所定の外形に打ち抜いたもので、罫線を介して側面板（２ａ）、前面板（３）、後面板（４）、側面板（２ｂ）および固着片（１）を連設した容器本体（Ａ）の、上部に蓋部（Ｂ）、下部に底部（Ｃ）を設けた構成である。
前記前面板（３）は、中央上部に、上方に突出する形状の切込み（１０）により形成された折込部（１１）、前記切込み（１０）の終端（１０ａ）（１０ａ）を結ぶ罫線（２０）と、前記終端（１０ａ）（１０ａ）から左右外側下方に終端（１３ａ）（１３ａ）を有する切込み（１３）（１３）を設けられている。
一方、前記前面板（３）は、下端から上方の終端（１５ａ）（１５ａ）まで延びる切込み（１５）（１５）が設けられ、前記切込み（１３）（１３）の終端（１３ａ）（１３ａ）は、前記切込み（１５）（１５）の終端（１５ａ）（１５ａ）より外側下方に位置し、かつ、前記切込み（１３）（１３）の終端（１３ａ）（１３ａ）間の罫線（２１）及び前記切込み（１５）（１５）の終端（１５ａ）（１５ａ）間、および該終端（１５ａ）（１５ａ）から前記切込み（１３）（１３）まで延びる罫線（２２）を設けられている。
【００２０】
そして、図２に示すように、前記ブランク板を、前記折込部（１１）を罫線（２０）から内側に折り曲げ、かつ、前記罫線（２１）を谷折り、及び前記罫線（２２）を山折りすることにより、上部が前方に突き出る状態の収納部（３０）が形成され、試供品等の上部を固定することができ、容器と同時に試供品等の商品を、収納、および展示することが可能となる。
【００２１】
さらに、図３に示すブランク板の、前記前面板（２）の罫線（１５）（１５）の下端を結ぶ位置に罫線（２３）及び該罫線（２３）の上方に、前記罫線（１５）（１５）間を結ぶ罫線（２４）を設け、前記罫線（２３）を谷折り、前記罫線（２４）を山折りすることにより、収納部（３０）全体が前方に突き出る状態に形成することができ、容器と同時に嵩張る試供品等の商品を、収納、および展示することが可能となる。
【００２２】
さらに、図４に示すブランク板の、前記切込み（１０）の両外側に、前記切込み（１０）を１辺とし、下方に突出する切込み（１９）（１９）を設けることにより、前記折込部（１１）の両側に押さえ片（３１）（３１）が形成され、収納する容器の頂部を押さえることができ、安定した状態で収納、および展示をすることが可能となる。
【００２３】
また、前記切込み（１９）（１９）の終端（１９ａ）（１９ａ）が、前記前面板（３）に罫線を介して連設する蓋材（４３）に位置するように設けることにより、前記折込部（１１）の両側に形成される押さえ片（３１）（３１）を大きくすることができ、収納する容器の頂部を確実に押さえることができ、より安定した状態で収納、および展示をすることが可能となる。
【００２４】
また、前記前面板（３）に、窓部（３５）を設けることにより、収納した容器が見えるようになり、優れた展示効果が得られる。
【００２５】
また、前記収納部（３０）に窓部（３６）を設けることにより、収納した容器だけでなく、試供品等の商品が見えるようになり、優れた展示効果が得られる。
を有する
【００２６】
ここで、前記中央上部に形成される折込部（１１）は、上方に突出する形状の切込み（１０）の形状、具体的には、逆Ｖ字状、逆Ｕ字状、台形状のいずれかの形状を適宜選択すればよい。
【００２７】
また、前記折込部（１１）の両側に形成される押さえ片（３１）（３１）は、前記折込部（１１）を形成する切込み（１０）の形状に従った形状となる。
【００２８】
また、窓部（３５）（３６）の形状、数は、特に限定されるものでなく、容器、商品の形状、内容物に応じて、展示効果を考慮して適宜選択すればよい。
【符号の説明】
【００２９】
Ａ…容器本体          Ｂ…蓋部          Ｃ…底部
１…固着片            ２ａ、２ｂ…側面板        
３…前面板            ４…後面板
１０、１３、１５、１９…切込み
１１…折込部          
１０ａ、１３ａ，１５ａ、１９ａ…終端
２０、２１、２２、２３、２４…罫線
３０…収納部          ３１…押さえ片
３５、３６…窓部
【図１】
2011006076.tif 000003
【図２】
2011006076.tif 000004
【図３】
2011006076.tif 000005
【図４】
2011006076.tif 000006